(57)【要約】【課題】  他の製品での再生互換を確保しつつ、縮小画の一覧表示において画像を違和感なく確認できるとともに画像のアスペクト比を一見して区別できるデジタル画像記録技術を提供すること。【解決手段】  第１のアスペクト比である第１の画像を示す第１の縮小画像及び縦に対する横の比率が第１のアスペクト比より大きい第２のアスペクト比である第２の画像を示す第２の縮小画像を生成して、第１の画像、第２の画像、第１の縮小画及び第２の縮小画を記録媒体に記録することとする。その際、第１の縮小画像を第１のアスペクト比を維持するように縮小し、かつ、第２の縮小画像の横の大きさが第１の縮小画像の横の大きさと同じになるように第２の画像を縮小し、縮小した第２の画像の縦方向に縮小した第２の画像とは異なる画像を付加することで、第２の縮小画像のアスペクト比を第１のアスペクト比とする。【選択図】  図１
2005191764.tif 000002
【特許請求の範囲】
【請求項１】
第１のアスペクト比である第１の画像を示す第１の縮小画像及び縦に対する横の比率が第１のアスペクト比より大きい第２のアスペクト比である第２の画像を示す第２の縮小画像を生成する縮小画像生成手段と、
前記第１の画像、前記第２の画像、前記第１の縮小画及び前記第２の縮小画を記録媒体に記録する記録手段と、を備え、
前記縮小画生成手段は、前記第１の縮小画像を前記第１のアスペクト比を維持するように縮小し、かつ、前記第２の縮小画像の横の大きさが前記第１の縮小画像の横の大きさと同じになるように前記第２の画像を縮小し、前記縮小した第２の画像の縦方向に前記縮小した第２の画像とは異なる画像を付加することで、前記第２の縮小画像のアスペクト比を前記第１のアスペクト比とすることを特徴とする画像記録再生装置。
【請求項２】
請求項１記載のデジタル画像記録再生装置において、前記縮小画像の縦方向に付加される前記第２の縮小画像とは異なる画像は、所定の色の画像であることを特徴とする画像記録装置。
【請求項３】
請求項１記載のデジタル画像記録再生装置において、前記縮小画像の縦方向に付加される前記第２の縮小画像とは異なる画像は、黒色の画像であることを特徴とする画像記録再生装置。
【請求項４】
請求項１記載のデジタル画像記録再生装置において、前記縮小画像の縦方向に付加される前記第２の縮小画像とは異なる画像は、前記第１の縮小画像及び前記第２の縮小画像を一覧表示する際の背景色と同じ色の画像であることを特徴とするデジタル画像記録再生装置。
【請求項５】
請求項１記載のデジタル画像記録装置において、前記縮小画像の縦方向に付加される前記第２の縮小画像とは異なる画像は、文字情報を有する画像であることを特徴とする画像記録再生装置。
【請求項６】
請求項１乃至５記載の画像記録装置において、前記第２の画像を前記第１のアスペクト比に変換して前記記録媒体に記録することを特徴とする画像記録再生装置。
【請求項７】
請求項６記載の画像記録装置において、前記第１のアスペクト比に変換されて前記記録媒体に記録されている前記第２の画像を再生する場合、前記第２のアスペクト比に戻して再生することを特徴とする画像記録再生装置。
【請求項８】
複数のアスペクト比の画像と縮小画とを所定のアスペクト比に変換して記録媒体に記録する画像記録装置において、前記記録される画像信号には第１の変換処理を行い、前記記録される縮小画信号には第２の変換処理を行うことを特徴とする画像記録装置。
【発明の詳細な説明】
【技術分野】
【０００１】
本発明は、画像記録再生技術に関し、特に画像のアスペクト比が異なる画像信号を混在して記録、再生可能な画像記録再生技術に関する。
【背景技術】
【０００２】
従来、地上波テレビ放送では、画像のアスペクト比４：３（横：縦。以下同様）であったが、デジタルハイビジョン放送が始まり、さらには２００３年１２月から予定されている地上波デジタル放送においては、アスペクト比１６：９が主流となるため、アスペクト比が１６：９であるワイドテレビが急速に普及しつつある。しかしながら、アスペクト比４：３の地上波テレビは継続して放送されるため、当面の間、アスペクト比４：３の画像と１６：９の画像が混在して放送される。
【０００３】
一方、記録再生装置においても、従来のテープを記録媒体にしたものから、ランダムアクセス可能なＤＶＤや、ハードディスクを記録媒体としたものに移行しつつある。特にハードディスク等の大容量メディアを用いることにより、多くの画像データを蓄積することが可能になるが、一方で検索性を上げる必要が生じる。このため、記録時に縮小画を作成し再生時に縮小画の一覧を表示するといった手段を用いることにより、再生したい画像をいち早く検索できる製品が求められている。
【０００４】
また、アスペクト比が４：３の画像信号とアスペクト比が１６：９の画像信号を混在して記録可能な記録再生装置が現れるようになってきており、このような装置においても、縮小画の一覧を表示する必要がある。従来は、アスペクト比１６：９の画像信号からアスペクト比４：３の縮小画を作成し表示するようになっている。
【０００５】
アスペクト比１６：９の画像信号をアスペクト比４：３の縮小画になるように変換する一つの方法として、横方向に画像を圧縮する方法がある。また、別の方法として、横方向の画像を捨てて縮小画を作成する方法がある。
【０００６】
また、他の従来技術では、記録する画像のアスペクト比を任意に選択でき、その画像と同じアスペクト比の縮小画を記録媒体に記録し、再生時に再生画像のアスペクト比と表示装置の画面のアスペクト比と合わない部分すなわち画像がない部分はいわゆるブルーバックのような単色の表示で補間する方法を取っている（例えば、特許文献１参照）。
【０００７】
【特許文献１】特開２００２−３３０３２２号公報
【発明の開示】
【発明が解決しようとする課題】
【０００８】
しかしながら、上記従来技術の横方向に画像を圧縮する方法では、縮小画表示の場合横に圧縮されたすなわち縦長の画像となってしまい、縮小画表示と実際に再生される再生画面表示のイメージが異なるという問題がある。また、横方向の画像を捨てて縮小画を作成する方法では、捨てられた部分を見られないという問題がある。さらに、上記従来技術の方法では、アスペクト比４：３で記録した画像か、アスペクト比１６：９で記録した画像かを縮小画を一見して区別することができないという問題があった。
【０００９】
また、上記特許文献１記載の従来技術では、画像がない部分をブルーバックで補間する機能がついていない製品に記録媒体を移動した場合はブルーバックを補間することができない。すなわち再生互換ができないという問題があった。
【００１０】
本発明の目的は、他の製品での再生互換を確保しつつ、縮小画の一覧表示において画像を違和感なく確認できるとともに画像のアスペクト比を一見して区別できるデジタル画像記録技術を提供することにある。
【課題を解決するための手段】
【００１１】
上記課題を解決するため、本発明は、第１のアスペクト比である第１の画像を示す第１の縮小画像及び縦に対する横の比率が第１のアスペクト比より大きい第２のアスペクト比である第２の画像を示す第２の縮小画像を生成して、前記第１の画像、前記第２の画像、前記第１の縮小画及び前記第２の縮小画を記録媒体に記録することとする。その際、前記第１の縮小画像を前記第１のアスペクト比を維持するように縮小し、かつ、前記第２の縮小画像の横の大きさが前記第１の縮小画像の横の大きさと同じになるように前記第２の画像を縮小し、前記縮小した第２の画像の縦方向に前記縮小した第２の画像とは異なる画像を付加することで、前記第２の縮小画像のアスペクト比を前記第１のアスペクト比とする。
【発明の効果】
【００１２】
本発明によれば、他の再生装置での再生互換を確保しつつ、縮小画の一覧表示において画像を違和感なく確認できるとともに画像のアスペクト比を一見して区別することができる。
【発明を実施するための最良の形態】
【００１３】
はじめに、以下に説明する実施例の特徴の一つについて説明する。
アスペクト比が４：３の画像信号及びアスペクト比が１６：９の画像信号を記録する場合、縮小画のアスペクト比を４：３に統一する。そこで、アスペクト比が１６：９の画像信号に対応する縮小画信号をアスペクト比１６：９ではなくアスペクト比４：３の縮小画信号に変換して記録媒体に記録することとする。その際、アスペクト比１６：９の画像の横方向が収まるように縦横均等に縮小し、縦方向の余剰部分に帯状の画像信号を付加することでアスペクト比４：３の縮小画信号を生成し、記録媒体に記録することとする。
【００１４】
図３は、本実施例により作成した縮小画の一覧を、図１のグラフィックディスプレイ１６に表示した表示例である。全ての縮小画はアスペクト比４：３の画角で表示されており、アスペクト比４：３の画像信号の場合は縮小画３１のように表示され、アスペクト比１６：９の画像信号の場合は縮小画３２のように表示される。縮小画３２では、上述の帯状の画像信号を付加することにより、上下に黒帯が入っており画像が横長なことが分かり、アスペクト比が縮小画３１とは違うことが一見して分かる。このことにより、アスペクト比の違う画像から作成した縮小画の混在表示において、見た目の区別がつきやすくなる。さらに、縮小画作成時に捨てる画像部分がないため、捨てられた部分が見られないという問題もなくなる。
【００１５】
従って、アスペクト比１６：９の画像信号について、縮小画と実際に再生される再生画面表示が同一イメージとなり、またアスペクト比４：３の画像信号とアスペクト比１６：９の画像信号から作成した縮小画の混在表示において、どちらで記録されたものかを一見して区別することが可能になる。また、縮小画自体に帯状の画像が付加されているので、他の再生装置でも帯状の画像を含んだ縮小画を再生することができ、再生互換を確保することができる。
【００１６】
また、付加する画像を所定の色とすることで横長画像であることが確認しやすくなる。
【００１７】
さらに、付加する画像を黒色とすることで、区別がつきやすくなる。
【００１８】
さらに、付加する画像を縮小画一覧表示の背景色と同じ色とすることで、余剰部分が目立たなくなり表示品質が向上する。
【００１９】
さらに、付加する画像を文字情報を有する画像とするにより、画像に対応する情報（撮影場所等）を入れた場合には利便性が向上する。
【００２０】
また、複数のアスペクト比の画像信号と縮小画信号を所定のアスペクト比に変換して記録媒体に記録する際、前記記録される画像信号には第１の変換処理を行い、前記記録される縮小画信号には第２の変換処理を行うこととする。これにより、記録媒体に記録する画像と縮小画の画像とを変えられるので、縮小画の表示内容を変えられ、利便性が向上する
以下、本発明を適用した実施例について説明する。本実施例では本発明をビデオカメラに適用した例について説明する。
【００２１】
図１は、デジタル画像記録再生装置の一実施例を示す構成図である。同図において、１はカメラ、２はカメラ信号処理部、３はスクイーズ変換部、４はマイク、５及び２９はＡ／Ｄ変換部である。ＭＰＥＧ圧縮部６は、ＭＰＥＧ（Ｍｏｖｉｎｇ  Ｐｉｃｔｕｒｅ  Ｅｘｐｅｒｔｓ  Ｇｒｏｕｐ）画像圧縮部７、ＭＰＥＧ音声圧縮部８、多重部９を有している。１０は記録媒体を含む記録再生部である。ＭＰＥＧ伸長部１１は、分離部１２、ＭＰＥＧ画像伸長部１３、ＭＰＥＧ音声伸長部１４を有している。１５はレターボックス変換部、１６はグラフィックディスプレイ、１７はＤ／Ａ変換部、１８はスピーカー、１９は操作ボタン、制御部２０はボタン入力処理部２１、グラフィック制御部２２、記録再生制御部２３を有し、デジタル画像記録再生装置全体を制御する。縮小画処理部２４は縮小画検索部２５、縮小画表示部２６、縮小画生成部２７、縮小画記録部２８を有している。
【００２２】
本実施例では、記録時においてスクイーズ変換部３によって変換した画像信号、あるいは、再生時においてＭＰＥＧ画像伸長部１３によって伸長した画像信号がアスペクト比１６：９の場合、レターボックス変換部１５によって、縦横均等に縮小、縦方向の余剰部分に帯状の画像データを付加し、縮小画生成部２７によって、アスペクト比が４：３の縮小画を生成するものである。
【００２３】
まず、記録処理の流れについて説明する。カメラ１より得られた電気信号をカメラ信号処理部２によって画像信号に変換し、スクイーズ変換部３によってアスペクト比４：３の画像信号はそのままに、アスペクト比１６：９の画像信号は横方向を圧縮することによりアスペクト比４：３の画像信号に変換する。変換した画像信号をＡ／Ｄ変換部２９でデジタル映像信号に変換し、ＭＰＥＧ画像圧縮部７でＭＰＥＧ画像信号に圧縮する。この際、ＭＰＥＧ画像信号には、アスペクト比に関する情報を付加しておく。一方、マイク４より得られた音声信号をＡ／Ｄ変換部５によりデジタル音声信号に変換し、ＭＰＥＧ音声圧縮部８でＭＰＥＧ音声信号に圧縮する。ＭＰＥＧ画像信号とＭＰＥＧ音声信号は多重部９によってＭＰＥＧシステムストリームを生成し記録再生部１０に出力し、記録媒体に記録する。
【００２４】
一方、スクイーズ変換部３によって変換した画像信号は、元の画像のアスペクト比にかかわらずアスペクト比４：３の画像信号となっているので、レターボックス変換部１５は、元の画像がアスペクト比４：３であった画像信号はそのままに、元の画像がアスペクト比１６：９であった画像信号を横方向を伸長してアスペクト比１６：９の画像信号に一旦戻し、さらに横方向が収まるように縦横均等に縮小し、この縮小した画像信号に黒帯状の画像信号を付加して縮小画生成部２７に出力する。そして、縮小画生成部２７は、レターボックス変換部１５から出力された画像信号からアスペクト比４：３の縮小画の画像信号を作成し、縮小画記録部２８に出力する。縮小画記録部２８は、縮小画生成部２７で生成された縮小画の画像信号を記録再生部１０に出力し、記録再生部１０は、縮小画の画像信号を記録媒体に記録する。
【００２５】
このように、記録媒体に記録される縮小画は、アスペクト比４：３の画像はそのままに、アスペクト比１６：９の画像は縦方向すなわち上下に帯状の画像データが付加された縮小画となる。アスペクト比１６：９の画像信号についても、縮小画と実際に再生される再生画面表示が同一イメージとなり、またアスペクト比４：３の画像信号とアスペクト比１６：９の画像信号から作成した縮小画の混在表示において、どちらで記録されたものかを一見して区別することが可能になる。また、縮小画データ自体に黒帯状のデータが付加されているので、他の再生装置でも黒帯状のデータを含んだ縮小画を再生することができ、再生互換を確保することができる。
【００２６】
ここで、アスペクト比１６：９の画像信号時に縦方向の余剰部分に付加する画像は黒帯に限られるものではなく、いろいろな画像にしてもよい。
【００２７】
例えば、黒ではなく他の色でも構わなく、さらにユーザが選択できるようにしてもよい。これにより、ユーザの好みに合わせられる。
【００２８】
また、縮小画一覧表示に使用する背景色とするようにしてもよく、背景色と同じにすることで、縮小画も１６：９の表示と見えるようにでき、表示の品位が向上する。
【００２９】
また、所定のパターン（絵柄、模様等）を持った画像としてもよく、表示に楽しさが増す。
【００３０】
また、余剰部分に文字情報を操作釦１９を使用して入力し、ボタン入力処理部２１で情報処理を行ってから縮小画生成部２７に送り、縮小画生成部２７で処理された文字情報を余剰部分に組み込むようにしてもよい。これにより、例えば、画像に対応する情報（撮影場所等）を入力すると、ユーザの利便性が向上する。
【００３１】
次に、再生処理の流れについて説明する。記録再生部１０にある記録媒体からＭＰＥＧシステムストリームを読み出し、分離部１２によってＭＰＥＧ画像信号とＭＰＥＧ音声信号に分離する。分離したＭＰＥＧ画像信号はＭＰＥＧ画像信号伸長部１３により伸長する。ここでの画像信号は元の画像のアスペクト比にかかわらずアスペクト比４：３の画像信号となっているので、レターボックス変換部１５によって元の画像がアスペクト比４：３であった画像信号はそのままに、元の画像がアスペクト比１６：９であった画像信号は横方向を伸長してアスペクト比１６：９の画像信号に一旦戻す。アスペクト比が１６：９であるか４：３であるかは、ＭＰＥＧ映像信号に付加されたアスペクト比に関する情報を読み取ることで分かる。さらに横方向が収まるように縦横均等に縮小したときできる縦方向の余剰部分に黒帯状の画像信号を付加し、グラフィックディスプレイ１６に出力する。分離部１２で分離したＭＰＥＧ音声信号はＭＰＥＧ音声信号伸長部１４により伸長し、Ｄ／Ａ変換部１７によりアナログ信号に変換し、スピーカー１８に出力する。
【００３２】
次に、縮小画一覧表示処理の流れについて説明する。縮小画検索部２５により、記録再生部１０にある記録媒体から記録した縮小画ファイルを検索する。縮小画ファイルがあった場合には、縮小画表示部２６により複数の縮小画を縦横に並べ、背景の画像信号を付加して縮小画一覧信号を生成し、グラフィックディスプレイ１６に出力する。
【００３３】
ここで、記録媒体には本実施例による記録方法で生成された縮小画が記録されているので、縮小画を一覧表示した場合、アスペクト比４：３の画像信号はそのままに、アスペクト比１６：９の画像信号は縦方向すなわち上下に黒帯等を付加した縮小画となり、またアスペクト比４：３の画像信号とアスペクト比１６：９の画像信号から作成した縮小画の混在表示において、どちらで記録されたものかを一見して区別することが可能になる。
【００３４】
ここで、縮小画ファイルがなかった場合には、記録媒体に記録されている画像ファイルの先頭画を順次読み出してＭＰＥＧ伸長部１１で伸長し、上述した方法でレターボックス変換部１５を介して縮小画生成部２７で縮小画を生成し、縮小画表示部２６により縮小画一覧信号を生成し、グラフィックディスプレイ１６に出力する。また、縮小画生成部２７で生成された縮小画を、縮小画記録部２８により縮小画ファイルとして記録再生部１０に出力し、記録媒体に記録することもできる。
【００３５】
図２は、画像信号から縮小画を生成する縮小画生成処理をフローチャートにしたものである。縮小画生成処理が開始されるとアスペクト比を判別し（ステップＳ１）、アスペクト比４：３の画像信号の場合はそのまま縮小画を作成し（ステップＳ３）、アスペクト比１６：９の画像信号の場合はレターボックス変換を行った後（ステップＳ２）、縮小画を作成（ステップＳ３）する。その後、記録処理が行われている場合は縮小画を記録する（ステップＳ４）。また、縮小画表示の処理が行われている場合には縮小画作成を繰り返し縮小画の一覧を表示する（ステップＳ５）。
【００３６】
以上、本発明の実施例について説明した。
【００３７】
デジタル画像記録再生装置の具体例として、入力にはカメラ、マイク、出力にはグラフィックディスプレイ、スピーカーとしたが、これは特に限定されるものではなく、たとえば、ＶＴＲ等の画像、音声入出力に変更することも可能である。
【００３８】
また、本実施例では、１６：９のアスペクト比の画像を４：３のアスペクト比の画像に変換して記録すると共に、１６：９のアスペクト比の画像の縮小画の上下に帯状の画像を付加してアスペクト比を４：３に変換して記録する例について説明した。しかし、本発明はアスペクト比を１６：９から４：３に変換するものに限られない。例えば、４：３のアスペクト比の画像を１６：９に変換して記録すると共に、４：３のアスペクト比の画像の縮小画に対して横方向、すなわち左右に帯状の画像を付加して１６：９のアスペクト比に変換して記録することとしても良い。
【図面の簡単な説明】
【００３９】
【図１】本発明によるデジタル画像音声記録再生装置の一実施例を示す構成図である。
【図２】縮小画生成処理をフローチャートにしたものである。
【図３】本実施例により作成した縮小画を表示した表示例である。
【符号の説明】
【００４０】
１  カメラ
２  カメラ信号処理部
３  スクイーズ変換部
４  マイク
５  Ａ／Ｄ変換部
６  ＭＰＥＧ圧縮部
８  ＭＰＥＧ音声圧縮部
９  多重部
１０  記録再生部
１１  ＭＰＥＧ伸長部
１２  分離部
１３  ＭＰＥＧ画像伸長部
１４  ＭＰＥＧ音声伸長部
１５  レターボックス変換部
１６  グラフィックディスプレイ
１７  Ｄ／Ａ変換部
１８  スピーカー
１９  操作ボタン
２０  制御部
２１  ボタン入力処理部
２２  グラフィック制御部
２３  記録媒体制御部
２４  縮小画処理部
２５  縮小画検索部
２６  縮小画表示部
２７  縮小画生成部
２８  縮小画記録部
【図１】
2005191764.tif 000003
【図２】
2005191764.tif 000004
【図３】
2005191764.tif 000005